(57)【要約】【課題】所望のキーワードを簡単に選択すること。【解決手段】デジタル放送受信部１０２は、放送番組の番組データに多重化して放送される電子番組案内データを受信すると、番組案内データ格納部１０５に格納する。ネットワーク接続部１０３は、インターネット専用線等を介してサーバからキーワード情報を受信すると、キーワード格納部１０６に格納する。そして、リモコン１０１等からキーワード表示指令が入力されると、ＣＰＵ１０７はキーワード格納部１０６に格納されたキーワード情報を読み出し、そのキーワードの平仮名表記文字列に基づいてキーワードを５０音順に並べたキーワード選択画面データを作成し、ＯＳＤメモリ１１０に書き込む。ＤＡＣ１１１は、ＯＳＤメモリ１１０に書き込まれたキーワード選択画面データを読み出し、Ｄ／Ａ変換を行って、５０音順に整列表示されたキーワードをモニタ１１２に表示する。【選択図】図１
2007336140.tif 000002
【特許請求の範囲】
【請求項１】
キーワードにより電子番組案内データを選択し、選択された電子番組案内データに基づいて放送番組の選局を行うデジタル放送受信装置であって、
前記電子番組案内データを格納する番組案内データ格納部と、
前記電子番組案内データを選択するためのキーワードと、そのキーワードの平仮名表記又は片仮名表記とを対応させて格納するキーワード格納部と、
前記キーワードの表示指示を受けた場合、前記キーワードの平仮名表記又は片仮名表記に基づいて前記キーワードの整列表示を制御するキーワード表示制御部と、
を有するデジタル放送受信装置。
【請求項２】
請求項１記載のデジタル放送受信装置において、さらに、
前記キーワードを受信するキーワード受信部と、
前記キーワード受信部によって受信された前記キーワードを基にそのキーワードの平仮名表記又は片仮名表記を作成し、前記キーワードと共に前記キーワード格納部に格納する仮名表記作成部と、
を有するデジタル放送受信装置。
【発明の詳細な説明】
【技術分野】
【０００１】
本発明は、表示されたキーワードにより電子番組案内(EPG: Electric Program Guide)データを選択し、選択された電子番組案内データに基づいて放送番組の選局を行うデジタル放送受信装置に関するものである。
【背景技術】
【０００２】
近年、衛星デジタル放送、地上デジタル放送が開始されて、放送データに電子番組案内データを多重化して送信されるようになった。テレビ受信機は、多重化された電子番組案内データを取得し、その電子番組案内データを番組表として提示して、ユーザが番組予約を簡単に実行できる機能を提供している。また、衛星デジタル放送により視聴可能な番組数が飛躍的に増加し、ユーザが所望する番組を検索する技術が必要となっている。
【０００３】
従来の番組検索する方法としては、ユーザがリモコンを操作してキーワードを登録し、その登録されたキーワードで、電子番組案内データに含まれるタイトルあるいは番組内容を検索して、その結果をユーザに提示するものがあった。
【０００４】
そのキーワードの登録する方法としては、表示している番組情報から文字列を選択してそれを登録する方法や（例えば、特許文献１参照）、自動的に単語を抽出して登録する方法が提案されている（例えば、特許文献２参照）。
【特許文献１】特開２００２−３００４８３号公報
【特許文献２】特開２００５−５７５２３号公報
【発明の開示】
【発明が解決しようとする課題】
【０００５】
しかし、表示している番組情報から文字列を選択してそれを登録する上記特許文献１の方法では、登録された文字列データは８単位符号（デジタル放送規格で採用されている文字符号）となるため、ユーザに提示するキーワードは、８単位符号のデータの昇順か、あるいはキーワードを登録した順番となる。この場合、表示されるキーワードは、不規則な順番となるため、ユーザ等が所望のキーワードを見つけ難い、という問題がある。
【０００６】
また、自動的に単語を抽出して登録する上記特許文献２の方法でも、登録される文字列データは８単位符号であるため、同様な問題がある。
【０００７】
そこで、本発明は、所望のキーワードを簡単に選択することができるデジタル放送受信装置を提供することである。
【課題を解決するための手段】
【０００８】
上記目的を達成するため、本発明のデジタル放送受信装置は、キーワードにより電子番組案内データを選択し、選択された電子番組案内データに基づいて放送番組の選局を行うデジタル放送受信装置であって、前記電子番組案内データを格納する番組案内データ格納部と、前記電子番組案内データを選択するためのキーワードと、そのキーワードの平仮名表記又は片仮名表記とを対応させて格納するキーワード格納部と、前記キーワードの表示指示を受けた場合、前記キーワードの平仮名表記又は片仮名表記に基づいて前記キーワードの整列表示を制御するキーワード表示制御部と、を有するものである。
【０００９】
また、本発明のデジタル放送受信装置では、さらに、前記キーワードを受信するキーワード受信部と、前記キーワード受信部によって受信された前記キーワードを基にそのキーワードの平仮名表記又は片仮名表記を作成し、前記キーワードと共に前記キーワード格納部に格納する仮名表記作成部と、を有するようにしても勿論よい。
【発明の効果】
【００１０】
本発明のデジタル放送受信装置によれば、キーワードの表示指示を受けた場合、キーワードの平仮名表記又は片仮名表記に基づいてキーワードが整列表示されるので、ユーザは整列表示されたキーワードを簡単に選択することができる。
【発明を実施するための最良の形態】
【００１１】
以下、図面を参照して、この発明の実施の形態について説明する。
実施の形態１．
【００１２】
図１は、本発明に係るデジタル放送受信装置の実施の形態１の構成例を示すブロック図である。
【００１３】
図１において、本実施の形態１のデジタル放送受信装置は、リモコン指令受信部１０１と、デジタル放送受信部１０２と、ネットワーク接続部１０３と、メモリカード接続部１０４と、番組データ格納部１０５と、キーワード格納部１０６と、ＣＰＵ１０７と、ＯＳＤ（On  Screen  Display ）メモリ１１０と、ＤＡＣ（Digital Analog Converter））１１１と、モニタ１１２とを有している。ここで、本実施の形態１のＣＰＵ１０７は、キーワード表示制御部１０７ａを有している。
【００１４】
次に、本実施の形態１のデジタル放送受信装置の動作を説明する。
【００１５】
デジタル放送受信部１０２は、放送局（図示せず）より放送番組の番組データに多重化して放送される電子番組案内データを受信すると、番組案内データ格納部１０５に格納する。電子番組案内データは、デジタル放送では、ＥＩＴ(Event Information Table)という形式で、放送番組の番組データに多重化されており、番組タイトル、番組説明、放送時間、出演者などの情報を含んでいる。
【００１６】
ネットワーク接続部１０３は、インターネット専用線あるいは電話回線に接続して、指定したサーバあるいは特定のサーバから電子番組案内データを選択するためのキーワード情報を受信する。なお、キーワード情報は、電子番組案内データの受信と同様に、ネットワーク接続部１０３ではなく、デジタル放送受信部１０２により受信するようにしても勿論よい。
【００１７】
図２は、ネットワーク接続部１０３が受信するキーワード情報１０６ａの一例を示している。
【００１８】
図２に示すように、ネットワーク接続部１０３が受信するキーワード情報１０６ａは、少なくともキーワード文字列の８単位符号と、キーワードの読みである平仮名表記文字列の８単位符号とを含むようにする。図２の例では、キーワード文字列と、平仮名表記文字列とは、それぞれ３２バイトを上限として領域を確保している。従って、１００個のキーワードを受信する場合は、（３２＋３２）×１００＝６４００バイトのキーワード情報となる。
【００１９】
ネットワーク接続部１０３は、指定したサーバあるいは特定のサーバからキーワード情報１０６ａを受信すると、受信したキーワード情報１０６ａをキーワード格納部１０６に格納する。このキーワード格納部１０６は、不揮発メモリ、あるいはハードディスクなどの、電源をＯＦＦしても値を保持するデバイスとする。
【００２０】
図３は、キーワード格納部１０６に格納されるキーワード情報１０６ａの一例を示している。
【００２１】
図３において、本実施の形態１のキーワード情報１０６ａは、キーワードごとにその８単位符号化と、そのキーワードに対応する平仮名表記と、その平仮名表記の８単位符号とが対応してキーワード格納部１０６に格納されている。
【００２２】
例えば、本実施の形態１のキーワード情報１０６ａでは、キーワードが“野球”である場合、その８単位符号は“４ｃ  ６ｅ  ３５  ６５”と、そのキーワードに対応する平仮名表記“やきゅう”と、その平仮名表記の８単位符号“ｅ４  ａｄ  e５  ａ６”と、キーワードが“サスペンス”である場合、その８単位符号は“１ｂ  ７ｃ  ｂ５  ｂ９  ｄａ  ｆ３  ｂ９”と、そのキーワードに対応する平仮名表記“さすぺんす”と、その平仮名表記の８単位符号“ｂ５  ｂ９  ｄａ  ｆ３  ｂ９”と格納される。
【００２３】
そして、ユーザがリモコン（図示せず）を操作することにより、リモコン指令受信部１０１がキーワード表示指令が入力されると、ＣＰＵ１０７内のキーワード表示制御部１０７ａは、キーワード格納部１０６に格納されたキーワード情報を読み出し、そのキーワードの平仮名表記文字列の５０音順の読みに基づいて、キーワード格納部１０６に格納されたキーワードを５０音順に並べてキーワード選択画面データを作成し、ＯＳＤメモリ１１０に書き込む。
【００２４】
すると、ＤＡＣ１１１は、ＯＳＤメモリ１１０に書き込まれたキーワード選択画面データを読み出し、Ｄ／Ａ変換を行って、５０音順にキーワードが整列表示されたキーワード選択画面データ１１２ａをモニタ１１２に表示する。
【００２５】
図４は、本実施の形態１によりモニタ１１２に表示されたキーワード選択画面データ１１２ａの一例を示している。
【００２６】
キーワード選択画面１１２ａでは、キーワードがその平仮名表記に基づいて５０音順に整列表示されており、図４に示すキーワード選択画面１１２ａでは、「あ行」として、“アイドル”、“演歌”、“沖縄”、“温泉”、「か行」として、“海外“、“健康”、…と整列表示される。なお、モニタ１１２の一画面では、全てのキーワードが表示できないので、画面を更新して次のキーワードを表示すための次ページボタン１１２ｂが表示されている。
【００２７】
ここで、従来のデジタル放送受信装置と比較をすると、従来装置では、キーワード情報は８単位符号で表されたキーワードの文字列だけであったため、ユーザに提示する場合には、不規則な順番となっていた。しかし、本実施の形態１では、図３に示すように、キーワードの平仮名表記文字列をキーワードと共にキーワード情報１０６ａとして一緒にキーワード格納部１０６に格納して、ユーザから整列表示の指示がリモコン指令受信部１０１にあった場合には、平仮名表記文字列に基づいて、図４に示すように５０音順に整列表示することになる。なお、ユーザからキーワード表示の指示がリモコン指令受信部１０１にあった場合、常に、図４に示すように、整列表示をするようにしても勿論よい。
【００２８】
このように、図３に示すキーワード情報１０６ａにおけるキーワード文字列の順番は不規則であるが、キーワードの平仮名表記の文字列を使えば、５０音順等でユーザに提示できることになる。
【００２９】
また、今まで格納していたキーワードに、新規にキーワードを追加した場合でも、その新規に追加したキーワードもその平仮名表記とともにキーワード情報１０６ａに追加して格納するので、新規にキーワードを追加した場合でも、既存のキーワードと一緒に５０音順で表示することが可能となる。
【００３０】
そして、ユーザがリモコン等により、図４に示すようにモニタ１１２に整列表示されたキーワード情報１０６ａから次ページボタン１１２ｂを押して、好みのキーワードを選択すると、ＣＰＵ１０７は、そのキーワードを含む等、合致する番組案内データを検索して、抽出した番組案内データに対応した放送番組データを選局してデジタル放送受信部１０２に受信させたり、録画予約等をする。
【００３１】
従って、本実施の形態１のデジタル放送受信装置によれば、キーワードの平仮名表記文字列をキーワード格納部１０６にキーワードと対応させてキーワード情報１０６ａとして格納し、ユーザが電子番組案内データのキーワードの整列表示を指示すると、その指示に基づきキーワードの平仮名表記に基づいてキーワードを整列表示するので、ユーザは、モニタ１１２に５０音順で整列表示されたキーワードを簡単に選択することができる。
【００３２】
また、本実施の形態１によれば、キーワードは、ネットワーク接続部１０３によりインターネット等のネットワークを介しサーバ（図示せず）から受信することで更新することが可能であるので、キーワードをデジタル受信装置でリモコンを操作して作成する必要はなく、多くのキーワードを短時間で一度に登録することができる。
【００３３】
また、ネットワーク接続部１０３に、文字列を入力するのに適した機器、例えばパソコンなどを接続するようにすれば、ユーザがパソコンを利用してキーワードを作成できるので、ユーザの嗜好に応じて多くのキーワードを登録することができる。
【００３４】
また、本実施の形態１では、キーワードと、そのキーワードの平仮名表記のキーワードファイルは、特定のネットワークのサーバ等に置いているので、多数のユーザがキーワードファイルを共有できるという効果もある。
【００３５】
なお、本実施の形態１では、キーワードと、そのキーワードの平仮名表記とを対応させてキーワード格納部１０６に格納するように説明したが、本発明では、これに限らず、キーワードと、そのキーワードの片仮名表記とを対応させてキーワード格納部１０６に格納するようにして、片仮名表記に基づいて整列表示するようにしても勿論よいし、さらにはキーワードと、そのキーワードのローマ字表記あるいはアルファベット表記とを対応させてキーワード格納部１０６に格納して、ローマ字表記あるいはアルファベット表記に基づいて整列表示するようにしても勿論よい。
【００３６】
実施の形態２.
上記実施の形態１のデジタル放送受信装置では、図１に示すように、ネットワーク接続部１０３からキーワードと、そのキーワードの平仮名表記又は片仮名表記とを受信し対応させてキーワード格納部１０６に格納するように説明したが、本実施の形態２では、図５に示すように、メモリカード接続部１２０を設け、このメモリカード接続部１２０に、キーワードとそのキーワードの平仮名表記又は片仮名表記とを記録したメモリカード１２１を挿して、そのメモリカード１２１からキーワードとそのキーワードの平仮名表記又は片仮名表記とをインストールしてキーワード格納部１０６に格納することを特徴とする。なお、図１に示す実施の形態１のデジタル放送受信装置と同じ構成要素には、同一符号を付して説明は省略する。
【００３７】
従って、本実施の形態２のデジタル放送受信装置によれば、上記実施の形態１と同様に、キーワードの平仮名表記又は片仮名表記文字列をキーワード格納部１０６にキーワード情報１０６ａとして対応させて格納し、ユーザが電子番組案内データのキーワードの整列表示を指示すると、その指示に基づきキーワードの平仮名表記に基づいてキーワードを整列表示するので、ユーザは、モニタ１１２に５０音順で整列表示されたキーワードを簡単に選択することができる。
【００３８】
実施の形態３.
上記実施の形態１，２のデジタル放送受信装置では、図１、図５に示すように、ネットワーク接続部１０３やメモリカード接続部１２０からキーワードと、そのキーワードの平仮名表記又は片仮名表記とを受信または入力してキーワード格納部１０６に格納するように説明したが、本実施の形態３では、キーワードの平仮名表記又は片仮名表記は、デジタル受信装置側で作成するようにしたことを特徴とする。
【００３９】
図６は、本実施の形態３のデジタル放送受信装置の構成例を示すブロック図である。
【００４０】
図６において、本実施の形態３のデジタル放送受信装置では、新たに、キーワードの平仮名表記又は片仮名表記を作成する仮名表記作成部１３０を備えたことを特徴とする。なお、図１に示す実施の形態１のデジタル放送受信装置と同じ構成要素には、同一符号を付して説明は省略する。
【００４１】
よって、本実施の形態３のデジタル放送受信装置では、キーワード仮名表記作成部１３０は、デジタル放送受信部１０２により放送された番組データに多重化されたキーワードや、あるいはネットワーク接続部１０３により受信されたキーワードから、そのキーワードの平仮名表記又は片仮名表記文字列を作成し、キーワードに対応させキーワード情報１０６としてキーワード格納部１０６に格納する。
【００４２】
その際、上記実施の形態１とは異なり、デジタル放送受信装置自身側でキーワード仮名表記作成部１３０が作成するので、平仮名表記又は片仮名表記文字列は、８単位符号により表す必要はなく、通常のＡＳＣＩＩコードなどにより表しても勿論よい。
【００４３】
また、キーワード仮名表記作成部１３０が平仮名表記又は片仮名表記文字列を、８単位符号により表す場合、キーワードが片仮名であれば、図３に示すように、そのキーワードの片仮名表記の８単位符号は、平仮名であることを示す８単位符号“１ｂ  ７ｃ”を削除すれば、簡単に作成することができる。例えば、図４に示すように、片仮名のキーワードが“サスペンス”であれば、その８単位符号は“１ｂ  ７ｃ  ｂ５  ｂ９  ｄａ  ｆ３  ｂ９”であるので、その８単位符号“１ｂ  ７ｃ”を削除すれば、“サスペンス”に対応する平仮名表記“さすぺんす”の８単位符号“ｂ５  ｂ９  ｄａ  ｆ３  ｂ９”を簡単に作成して格納することができる。
【００４４】
従って、本実施の形態３のデジタル放送受信装置によれば、上記実施の形態１，２と同様に、キーワードの平仮名表記又は片仮名表記文字列をキーワード格納部１０６にキーワード情報１０６ａとして対応させて格納し、ユーザが電子番組案内データのキーワードの整列表示を指示すると、その指示に基づきキーワードの平仮名表記に基づいてキーワードを整列表示するので、ユーザは、モニタ１１２に５０音順で整列表示されたキーワードを簡単に選択することができる。
【００４５】
特に、本実施の形態３では、仮名表記作成部１３０が、デジタル放送受信部１０２により放送された番組データに多重化されたキーワードや、あるいはネットワーク接続部１０３により受信されたキーワードから、そのキーワードの平仮名表記又は片仮名表記文字列を作成し、キーワード情報１０６としてキーワードに対応させてキーワード格納部１０６に格納するので、放送局側やサーバ側等で、キーワードの平仮名表記又は片仮名表記文字列を作成する必要がないので、既存の放送局側やサーバ側のシステムを使用することができる。
【図面の簡単な説明】
【００４６】
【図１】本発明に係るデジタル放送受信装置の実施の形態１の構成例を示すブロック図である。
【図２】ネットワーク接続部１０３が受信するキーワード情報の一例を示す説明図である。
【図３】キーワード格納部１０６に格納されるキーワード情報１０６ａの一例を示す説明図である。
【図４】実施の形態１によりモニタ１１２に表示されたキーワード選択画面データ１１２ａの一例を示す説明図である。
【図５】実施の形態２のデジタル放送受信装置の構成例を示すブロック図である。
【図６】実施の形態３のデジタル放送受信装置の構成例を示すブロック図である。
【符号の説明】
【００４７】
１０１  リモコン指令受信部
１０２  デジタル放送受信部
１０３  ネットワーク接続部
１０５  番組データ格納部
１０６  キーワード格納部
１０７  ＣＰＵ（キーワード表示制御部）
１１０  ＯＳＤメモリ
１１１  ＤＡＣ
１１２  モニタ
１２０  メモリカード接続部
１２１  メモリカード
１３０  仮名表記作成部
【図１】
2007336140.tif 000003
【図２】
2007336140.tif 000004
【図３】
2007336140.tif 000005
【図４】
2007336140.tif 000006
【図５】
2007336140.tif 000007
【図６】
2007336140.tif 000008